(57)【要約】      （修正有）【課題】表示が読みやすく、簡単な構造の年間カレンダー機構を提供する。【解決手段】年間カレンダー機構は、日付駆動歯車セット１を有し、この日付駆動歯車セット１は、１日に１回、１ステップ日付リング４を駆動する第１フィンガー２と、小の月の終わりに日付リングに同軸に配列された年間歯車７に取り付けられたプレート６を駆動する第２フィンガー５とに適合する。中間歯車８は、年間歯車７を日付リング４に月末に結合する。年間歯車７は、１年の月数の２倍の枚数の歯３０を有し、中間歯車８は、年間歯車７と噛み合う第１歯車４０と、この第１歯車４０に固定された第２歯車５０とを有する。この第２歯車５０は、月末に日付リング４の内側に配列されたスナグ６０と噛み合う。【選択図】図１
2006162611.tif 000002
【特許請求の範囲】
【請求項１】
時計用の年間カレンダー機構において、
（Ａ）  ２４時間に１回転する日付駆動歯車セット（１）と、
前記日付駆動歯車セット（１）は、第１フィンガー（２）に当たり、
前記第１フィンガーは、１日に１回１ステップ、日付リング（４）の第１ステージ（３）を駆動し、
前記日付リングは、３１枚の内歯（１０，１１，１２）を具備し、
前記日付駆動歯車セット（１）は、第２フィンガー（５）に当たり、
前記第２フィンガーは、１ステップ３１日未満の小の月の終わりに、プレート（６）の５個の突起（２０−２４）の内の１つの突起（２０）を駆動し、
前記プレート（６）は、日付リング（４）に同軸に配列された年歯車（７）に固定され、
（Ｂ）  各月の終わりに、前記年歯車（７）を日付リングの第２ステージ（９）に結合する中間歯車（８）と
を有し、
前記年歯車（７）は、１年の月数の倍の数（２４枚）の歯（３０）を有し、
前記中間歯車（８）は、年歯車（７）に噛み合う第１歯車（４０）と、前記第１歯車（４０）に同軸に配置固定された第２歯車（５０）とを有し、
前記第２歯車（５０）は、各月の終わりに、日付リング（４）の第２ステージ（９）の内側に配列された突起（６０）と噛み合う
ことを特徴とする時計用年間カレンダー。
【請求項２】
前記日付リング（４）は、日表示リング（２５）を具備し、
前記日表示リング（２５）の上に数字３１までの数列（２６）が記載され、それが時計の文字盤（２８）に切られた開口（２７）を介して表れる
ことを特徴とする請求項１記載の時計用年間カレンダー。
【請求項３】
前記年歯車（７）は、月表示ディスク（１６）を具備し、
前記月表示ディスク（１６）の上に１年の１２ヶ月分の月名（１７）が記載され、
前記月名は、時計の文字盤（２８）に切られた開口（１８）を介して、各月に２回表れ、
前記月表示ディスク（１６）は、２４個の等間隔のセクターを有する
ことを特徴とする請求項１記載の時計用年間カレンダー。
【請求項４】
前記中間歯車（８）は、第２歯車（５０）に固定された第３歯車（７０）を有し、
星形歯車（８０）が、自由に回転可能に第３歯車（７０）に搭載され、
前記星形歯車（８０）の枝（８１）は、第３歯車（７０）の歯（７１）と噛み合い、
星形歯車（８０）と第３歯車（７０）がそれぞれ有する前記枝（８１）の数と歯（７１）の数は、第３歯車（７０）が２ステップ前進すると、星形歯車（８０）が１ステップ前進するよう配列される
ことを特徴とする請求項１記載の時計用年間カレンダー。
【請求項５】
前記星形歯車（８０）は、月表示ディスク（９０）を具備し、
前記月表示ディスク（９０）の上に１年の１２ヶ月の月名（９１）が記載され、
前記月名は、各月に１度、時計の文字盤（２８）に切られた開口（１００）を介して表れ、
前記月表示ディスク（９０）は１２個の等間隔のセクターを有する
ことを特徴とする請求項１記載の時計用年間カレンダー。
【発明の詳細な説明】
【技術分野】
【０００１】
本発明は、時計の年間カレンダー機構に関する。
【０００２】
時計用の年間カレンダー機構は、２４時間に１回転する日付駆動歯車セットと、各月の終わりに、前記年歯車を日リングの第２ステージに結合する中間歯車とを有し、前記日付駆動歯車セットは、第１フィンガーに適合し、前記第１フィンガーは、１日に１回１ステップ、日リングの第１ステージを駆動し、前記日リングは、３１枚の内歯を具備し、前記日付駆動歯車セットは、第２フィンガーに適合し、前記第２フィンガーは、１ステップ３１日未満の小の月の終わりに、プレートの５個の突起の内の１つの突起を駆動し、前記プレートは、日リングに同軸に配列された年歯車に固定される。
【背景技術】
【０００３】
上記の定義に含まれる要素は、特許文献１、２で公知である。２４時間に１回転する日付駆動歯車セットは、前記の特許文献に見いだすことができる。両文献において、駆動歯車セットは、１日に１ステップ、日付表示リングを駆動する第１フィンガーと、年歯車に取り付けられたプレートに適合した５個の突起の内の１個の突起を３１日未満の小の月の終わりに駆動する第２フィンガーと適合している。中間歯車は、各月の終わりに日付表示リングに年歯車を接続するが、これらの特許文献に見いだすことができる。
【０００４】
【特許文献１】ヨーロッパ特許第Ａ−１−２５１４１２号明細書
【特許文献２】スイス特許第Ｂ−６８４８１５号明細書
【０００５】
より具体的には、特許文献１は、日付表示を具備し、２個のステージを具備するリングと、前記リングに同軸に配列された年歯車とを開示する。駆動歯車セットの第１フィンガーは、リングの第１ステージの３１枚の内歯と噛み合う。第２フィンガーは、小月の終わりに、プレートのパス上に配置される。このプレートは１７枚の歯を含む年間リングがそこに固定される５個の突起を具備する。この年間リングは、１７枚の歯（内７枚の歯は他の歯より薄い）を有する中間歯車とかみ合う。このリングの第２ステージは、２枚の内歯を具備し、その内の１つは他よりも薄い。この組立体は、大の月の末日に年間リングが１ステップ前進し、小の月の末日に前記歯車が２ステップ前進する。従って、月のインジケータは１７個の等間隔セクターを有する。大の月の名前（Ｊａｎｕａｒｙ、Ｍａｒｃｈ、Ｍａｙ、Ｊｕｌｙ、Ａｕｇｕｓｔ、Ｏｃｔｏｂｅｒ、Ｄｅｃｅｍｂｅｒ）は１回現れ、小の月の名前（Ｆｅｂｒｕａｒｙ、Ａｐｒｉｌ、Ｊｕｎｅ、Ｓｅｐｔｅｍｂｅｒ、Ｎｏｖｅｍｂｅｒ）は２回現れる。この月表示は時計の文字盤に切られた開口を介してみることができる。
【０００６】
上記した機構は、ハイブリッド（混成）の月表示の欠点を有する。大の月は開口を介して１回表れ、小の月は２回表れる。さらにまた、この機構は比較的複雑な中間歯車を使用することが必要であり、中間歯車は、１７枚の歯の内１０枚は厚く７枚は薄い。これにより中間歯の複雑な機械加工が必要となる。この機構は、リングの第２ステージにおいて、異なるレベルに配置された２個の突起の存在を必要とし、これによりステージの製造が複雑となる。最後に、この機構が組み立てられる際に、中間歯車は、非常に正確に角度位置に配置して、日付表示とそれに対応する月表示の適正な同期を確保する必要がある。
【０００７】
特許文献２は、日付表示が指針で行われる年間カレンダーを特に開示している。ここに開示された実施例においては、年歯車は、時計の中心ではなく、上部方向にずれて配置されている。その結果、複雑な機構となり、月の名前は中心がずれた円板上に表れる。この円板は、３１枚の歯（内３０枚は台形である）を含む中間歯車とかみ合う。
【発明の開示】
【課題を解決するための手段】
【０００８】
上記の特許文献の欠点を解決するために、さらに段落０００２に記載した一般的要件を満足するために、本発明の時計用年間カレンダー機構の年歯車は、１年の月数の倍の数（２４枚）の歯を有し、前記中間歯車は、年歯車に噛み合う第１歯車と、前記第１歯車に同軸に配置固定された第２歯車とを有し、前記第２歯車は、各月の終わりに、日リングの第２ステージの内側に配列された突起と噛み合う。
【実施例】
【０００９】
本発明の第１実施例による年間カレンダー機構を図１−８を参照して以下説明する。
【００１０】
本発明の年間カレンダー機構は、従来と同様、２４時間で１回転する日付駆動歯車セット１を有する。この日付駆動歯車セット１は、時計ムーブメントにより駆動される力学的連鎖配列から駆動力を引き出す。その第１リンクを歯車１５で示す。日付駆動歯車セット１が第１フィンガー２に当たり、この第１フィンガー２が、１ステップ真夜中に１日１回、日リング４の第１ステージ３を駆動する。この日リング４は、３１個の内歯を有し、その内の３個を内歯１０、１１、１２で示す。日付駆動歯車セット１は、また、第２フィンガー５に当たり、第２フィンガー５が、１ステップ小の月の終了時に、プレート６を、５個の突起２０−２４の内の１つを介して駆動する（図３）。プレート６は、年歯車７に取り付けられ、この組み立て体６、７が、日リング４と同軸に配列される。図は、年間カレンダー機構が中間歯車８を有する。この中間歯車８が、各月の終了時に、年歯車７を日リング４の第２ステージ９に接続する。
【００１１】
本発明の年間カレンダー機構が従来のそれとは異なる点は、次の２つの独自の配列にある。その第１は、年歯車７が１年の月数の２倍の歯３０を有する点である。言い換えると、年歯車７は２４枚の歯３０を有する。第２（最後）に、中間歯車８を有する点であり、この中間歯車８は、年歯車７と噛み合う第１歯車４０を有する。年歯車７の歯３０は、第１歯車４０の歯４１と噛み合う。中間歯車８は第２歯車５０を有する。この第２歯車５０は、第１歯車４０に固定され、同軸に配列される。第２歯車５０は、各月の終わりに、日リング４の第２ステージ９の内側に配列された突起６０と噛み合う。図は、突起６０が歯５１により駆動され、この歯５１は第２歯車５０に含まれる。
【００１２】
中間歯車８を形成する第１歯車４０と第２歯車５０は、その円周に均等に分布した歯４１、歯５１をそれぞれ具備し、これは従来の機械加工で形成でき、特許文献１の中間歯の機械加工方法とは異なる。同じことが日リング４の第２ステージ９の内側に配列された突起６０についても言える。２つの異なるレベルに配列された２個の突起ではなく、１個の突起のみがあり、これが前述の日付機構に必要である。
【００１３】
図１−８は、日表示ディスク２５を具備する日リング４を示し、この日表示ディスク２５の上に３１個の数列２６が記載されている。これらの数字は、時計の文字盤２８に切られた開口２７を介して見ることができる。
【００１４】
同図によれば、年歯車７は月表示リング１６を具備し、この月表示リング１６の上に１年の１２月分の月名が記載される。これらの月名は、文字盤２８に切られた開口１８を介して１月に２回表れる。月表示リング１６は、それ故に、２４個の等しいセクター（三角部）を含む。
【００１５】
次に年間カレンダーの動作を、図１−６を参照して、ある月から次の月に移行する状態を示す。先ず３１日未満の月（小の月）を説明し、次に３１日を含む月（大の月）を説明する。
【００１６】
図１−３は、ある小の月から次の月への移行を示す。４月３０日から５月１日への移行を例として説明する。
【００１７】
図１は、４月３０日２３時３０分の時間の輪列状態を示す。日付駆動歯車セット１の第１フィンガー２が、日リング４の第１ステージ３の内歯１０と接触する。日表示リング２５により、数列２６の数字３０が開口２７を介して見える。この表示月日は、（４月）３０日である。月表示ディスク１６により、最初の４月の月名（ＡＶＲ）１７が、開口１８を介して表れる。日リング４の第２ステージ９に配置された突起６０が、中間歯車８に含まれる第２歯車５０の歯５２に近づく。月表示ディスク１６には、同じ月名が２回連続して記載されている。例えば、図１の最小番号１７のＡＶＲと図２の参照番号３１のＡＶＲである。
【００１８】
図２は、５月１日００時３０分の時間の輪列状態を示す。日付駆動歯車セット１の第１フィンガー２により駆動されると、日リング４とその内歯１０は、１ステップ前進する。日表示リング２５は、開口２７を介して数字３１を瞬間的に示す。同時に、日リング４に結合された突起６０は、１ステップ第２歯車５０を時計方向に、歯５２を介して前進させる。中間歯車８を形成する第２歯車５０に結合された第１歯車４０が、次に年歯車７を反時計方向に回転させ、プレート６とそれに接続されている突起２０も反時計方向に回転させる。この時点で、日付駆動歯車セット１の回転に従って、第２フィンガー５がプレート６の突起２０に接触するようになる。この動作の間、年歯車７は２４分の１だけ回転する。これは、それに接続された月表示ディスク１６を有するからである。かくして、２回目の４月の月名（ＡＶＲ）３１が、非常に短い間であるが、開口１８を介して表れる（図２）。
【００１９】
図３は、５（ＭＡＩ）月１日０２時００分の時間の輪列状態を示す。日付駆動歯車セット１は、さらに回転すると、第２フィンガー５を介して、プレート６と突起２０を反時計方向に回転駆動する。かくして年歯車７は、プレート６に取り付けられているが、駆動され、そして次に中間歯車８を今度は時計方向に駆動する。そしてその歯５３により日表示リング２５を突起６０を介して、１ステップ前進させる。日表示リング２５は、開口２７内に日付数字１を示す。回転することにより、年歯車７は、月表示ディスク１６を駆動し、これが次に最初の５月（ＭＡＩ）３２を表示する。
【００２０】
図３から分かるように、５個の突起（歯）２０、２１、２２、２３、２４は、それぞれ、３１日未満の小の月（すなわち４月、６月、９月、１１月、２月）に対応している。各突起は、上記の月の終わりに、日付駆動歯車セット１の第２フィンガー５の通路上に配列される。そうするために、突起２０−２４は、間隔が６０°、９０°、６０°、９０°、６０°の位置でプレート６の周囲に配置される。２月の月末では、手動の修正が必要である。最後に、日付駆動歯車セット１は、半瞬時移行型（semi-instantaneous passage type）の場合は、ジャンパー・スプリング（jumper spring）（図示せず）を、日付リングの内歯上に配列しなければならない。
【００２１】
図４−６は、３１日を有する大の月から次の小の月への移行を示す。５月３０日から６月１日への移行を例に説明する。
【００２２】
図４は、５月３０日の２３時３０分の時間の輪列状態を示す。日付駆動歯車セット１のフィンガー２が、日リング４の内歯１０に接触する。日表示リング２５により、数列２６の内の１つの数字がが開口２７を介して表れるようになる。この数字は３０（５月）である。月表示ディスク１６により、最初の５月の月名（ＭＡＩ）１７が開口１８を介して見える。日リング４の突起６０が、中間歯車８を形成する第２歯車５０の歯５２に近づく。プレート６の突起２０の角度位置を観測すると、年歯車は、５月３１日の０２時００分の位置に依然としてある（図３を参照）。
【００２３】
図５は、５月３１日の２３時３０分の時間の輪列状態を示す。日付駆動歯車セット１の第１フィンガー２により駆動されると、日リング４と内歯１０は、１ステップ前進する。日表示リング２５は、数字３１を開口２７を介して示し、５月３１日の２３時３０分の時点で、日付駆動歯車セット１の第１フィンガー２は、日リング４の内歯１１に接触する。５月３０日から３１日に移行する間、日付リングに接続された突起６０は、１ステップ前進して第２歯車５０を歯５２を介して、時計方向に駆動する。中間歯車８を構成する第２歯車５０に結合された第１歯車４０が、次に年歯車７を反時計方向に回転駆動し、それに接続されたプレート６と突起２０も同一方向に駆動する。この操作の間、年歯車７は２４分の１回回転する。これはそれに接続された月表示ディスク１６を有するからである。２回目の５月の月の名前（ＭＡＩ）３２が、瞬間的に開口１８を介して表れる。
【００２４】
図６は、６月１日００時３０分の時間の輪列状態を示す。回転を続けることにより、日付駆動歯車セット１は、第１フィンガー２を介して、日リング４を１ステップ駆動する。日表示リング２５の６（ＪＵＮ）月１日の数字１が開口２７を介して見える。同時に、日付リングの突起６０が、時計方向に歯５２を介して、第２歯車５０を駆動する。第２歯車５０と共に中間歯車８を形成する第１歯車４０は、年歯車７を１ステップ反時計方向に駆動する。月表示ディスク１６は、年歯車７に接続され、それ故に１ステップ前進し、表示３３（すなわち６月ＪＵＮ）を開口１８に表れるようにする。プレート６は、また、１ステップ前進して、突起２１と共に、この突起２１が６月の月末（６月は３０日しかない）に、その機能を実行する。
【００２５】
次に本発明の第２実施例の年間カレンダー機構を図９−１６を参照して説明する。この機構は、これまでに記載し使用した全ての要素を実行して、本発明の第１実施例の日付機構を行う。２つの要素が追加され、月の名前が開口内に１度のみ表れる。
【００２６】
図９−１６が示すように、中間歯車８は、第３歯車７０を有し、この第３歯車７０は第２歯車５０に固定されている。この第２歯車５０は、第１歯車４０と共に中間歯車８を形成する。さらに、星形歯車８０が年歯車７の上に搭載され、その上を自由に回転する。星形歯車８０は、枝８１を有し、この枝８１は、第３歯車７０の歯７１と噛み合う。星形歯車８０が含む枝８１の数と、第３歯車７０が含む歯７１の数は、第３歯車７０が２ステップ前進したときに、星形歯車８０が１ステップ前進するよう構成されている。
【００２７】
前述した結果、星形歯車８０は月表示ディスク９０を具備し、この月表示ディスク９０の上に１年の１２ヶ月の名前９１が記載される。これらの名前は、時計の文字盤２８に切られた開口１００を介して各月の名前を見ることができる。月表示ディスク９０は、かくして１２個の等間隔のセクターを有する。
【００２８】
本発明の第２実施例による年間カレンダー機構のある月から別の月に移行する動作を説明する。第１実施例に記載した詳細は繰り返さず、図９−１６を参照して新たな構成要素についてのみ述べる。
【００２９】
図９−１１は、３１日未満の小の月のある月から次の月への移行を示す。例えば、４月３０日から５月１日への移行を例に説明する。
【００３０】
図９は、４月３０日２３時３０分の時間の輪列状態を示す。月表示ディスク９０に記載されたＡＶＲ（４月）である９１は、開口１００を介して見ることができる。日付駆動歯車セット１の第１フィンガー２は、日付リングと、それと共に突起６０とを回転させ、この突起６０が、時計方向に中間歯車８を駆動する。中間歯車８の第３歯車７０も、時計方向に回転する。第３歯車７０の歯７１、７２、７３、は、小さな丸で図中にマークして、それらを第３歯車７０の下にある第２歯車の歯５１から区別している。カレンダーは、３０日を表示している。
【００３１】
図１０は、５月１日００時３０分の時間の輪列状態を示す。回転することにより、日付リングは、極めて短い間、３１日を表示する。その突起６０が中間歯車８を回転させる。図９の状態から図１０の状態に移行する祭は、第３歯車７０の歯７２は、星形歯車８０の歯８２を駆動せず、星形歯車８０に結合されている月表示ディスク９０はＡＶＲ（４月）を表示したままである。
【００３２】
図１１は、５月１日０２時００分の時間の輪列状態を示す。プレート６により駆動される中間歯車８は、このプレート６は日付駆動歯車セット１の第２フィンガー５により駆動されるが、日付歯車を突起６０を介して１ステップ前進させる。５月１日がカレンダーには表示される。第３歯車７０は、回転すると、歯７２を介して、星形歯車８０を歯８２を介して１ステップ前進させる。星形歯車８０に接続された月表示ディスク９０は、１ステップ前進し、５月であるＭＡＩ９２が開口１００を介して表れる。
【００３３】
図１２−１４は、３１日を有するある月から次の月への移行を示す。例えば、５月３０日から６月１日への移行を例に説明する。
【００３４】
図１２は、５月３０日２３時３０分の時間の輪列状態を示す。月表示ディスク９０に記載された５月であるＭＡＩ９２は、開口１００を介して見える。日付駆動歯車セット１の第１フィンガー２は、日付リングを内歯１０を介して回転するよう準備している。日付リングは、回転すると、突起６０を介してプレート６を時計方向に、そしてそれに接続されている第３歯車７０を駆動する。このカレンダーは３０日を示す。
【００３５】
図１３は、５月３１日２３時３０分の時間の輪列状態を示す。日付リングは、１ステップ前進し、カレンダーは３１日を表示する。日付リングの突起６０は、中間歯車８を回転させる。図１２に示した位置から図１３に示した位置に移行する際、第３歯車７０の歯７２は、星形歯車８０の歯８２を駆動せず、星形歯車８０に取り付けられた月表示ディスク９０は、５月を表示したままである。
【００３６】
図１４は、６月１日の００時３０分の時間の輪列状態を示す。回転が継続されると、日付駆動歯車セット１は、第１フィンガー２を介して日付リングを１ステップ駆動する。日表示リング２５の６月１日の数字１は、開口２７を介して表れる。かくして突起６０は、１ステップ前進して、中間歯車８を時計方向に駆動する。回転すると、第３歯車７０は、歯７２を介して星形歯車８０を歯８２を介して１ステップ前進させる。星形歯車８０に取り付けられた月表示ディスク９０は、１ステップ前進し、６月の月であるＪＵＩ９３が開口１００を介して見える。
【００３７】
上記した本発明の第２実施例は、月の名前がより読みやすくなっている。実際、月表示ディスク９０は、１２個のセクターを含む。すなわち、１月当たり１個のセクターで、これにより月の名前は大幅に拡大され、読みやすくなっている。図９−１４は、類似の大きさの日付と月のコーディネートされた図面を示す。この大きさは、月ディスク（図１−６）が２４個のセクターを有し、その中のケースに月の名前が日付を表示する数字に対し小さく表示されている場合には達成することができないものである。
【００３８】
本発明の年間カレンダー機構は、製造が容易である。その理由は、この本発明の機構は従来の規則正しく切られた歯車のみを有し、歯は歯車の周囲に等間隔で分布している。かくして本発明の年間カレンダー機構は、基本的な目盛りを大幅に変更することなく、日付のみを含む単純な日付機構を容易に置き換わることができる。これは、イーティーエー  エスエー  マニュファクチュア  ホルロゲア  スイス（ETA SA Manufacture Holrogere Suisse）（本出願人）により市販されている商品番号２８９２Ａ２の場合に良く当てはまる。
【００３９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００４０】
【図１】本発明の第１実施例で、４月３０日２３時３０分に表れる年間カレンダー機構の平面図。
【図２】５月１日００時３０分に表れる図１と同様の機構を表す図。
【図３】５月１日０２時３０分に表れる図１と同様の機構を表す図。
【図４】本発明の第１実施例で、５月３０日２３時３０分に表れる年間カレンダー機構の平面図。
【図５】５月３１日２３時３０分に表れる図４と同様の機構を表す図。
【図６】６月１日００時３０分に表れる図４と同様の機構を表す図。
【図７】図２の線ＶＩＩ−ＶＩＩに沿った断面図。
【図８】図１の線ＶＩＩＩ−ＶＩＩＩに沿った断面図。
【図９】本発明の第２実施例で、４月３０日２３時３０分に表れる年間カレンダー機構の平面図。
【図１０】５月１日００時３０分に表れる図９と同様の機構を表す図。
【図１１】５月１日０２時３０分に表れる図９と同様の機構を表す図。
【図１２】本発明の第２実施例で、５月３０日２３時３０分に表れる年間カレンダー機構の平面図。
【図１３】５月３１日２３時３０分に表れる図１２と同様の機構を表す図。
【図１４】６月１日００時３０分に表れる図１２と同様の機構を表す図。
【図１５】図１０の線ＸＶ−ＸＶに沿った断面図。
【図１６】図９の線ＸＶＩ−ＸＶＩに沿った断面図。
【符号の説明】
【００４１】
１  日付駆動歯車セット
２  第１フィンガー
３  第１ステージ
４  日付リング
５  第２フィンガー
６  プレート
７  年歯車
８  中間歯車
９  第２ステージ
１０，１１，１２  内歯
１５  歯車
１６  月表示ディスク
１８  開口
２０、２１，２２，２３，２４  突起
２５  日表示リング
２６  数字
２７  開口
２８  文字盤
３０  歯
３２  
３３  表示
４０  第１歯車
４１  歯
５０  第２歯車
５１  突起
５２  歯
５３  歯
６０  突起
７０  第３歯車
７１、７２，７３  歯
８０  星形歯車
８１  枝
８２  歯
９０  月表示ディスク
９２  ５月
１００  開口
【図１】
2006162611.tif 000003
【図２】
2006162611.tif 000004
【図３】
2006162611.tif 000005
【図４】
2006162611.tif 000006
【図５】
2006162611.tif 000007
【図６】
2006162611.tif 000008
【図７】
2006162611.tif 000009
【図８】
2006162611.tif 000010
【図９】
2006162611.tif 000011
【図１０】
2006162611.tif 000012
【図１１】
2006162611.tif 000013
【図１２】
2006162611.tif 000014
【図１３】
2006162611.tif 000015
【図１４】
2006162611.tif 000016
【図１５】
2006162611.tif 000017
【図１６】
2006162611.tif 000018